(57)【要約】      （修正有） 【課題】所要密度の遠赤外線作用、及び、所要密度の磁性作用を具備することを可能とし、手のひら、足裏、お腹等の指圧及び呼吸器の活性化、更には、筋肉トレーニング、リズム感と敏捷性のトレーニング等にも供することを可能にしたもので、多様な使い方とその上達感を味わうことができる構成としているので、楽しみながら使用し続けることができ、使い込めば使い込む程愛着を感じるようになる健康器具を提供する。【解決手段】天然樹木からなる天然素材を加工して内部を中空部７とする所定形状の外殻を形成すると共に、この外殻に中空部７と外部とを連通する笛孔５を形成した本体１０と、該本体１０から指圧角２を突出させて形成すると共に、中空部７に転動する転動子４を収納して健康器具１を構成している。【選択図】図１
0003171546.tif 000002
【実用新案登録請求の範囲】
【請求項１】
天然樹木からなる天然素材を加工して内部を中空部とする所定形状の外殻を形成すると共に、この外殻に前記中空部と外部とを連通する笛孔を形成した本体と、前記本体から指圧角を突出させて形成すると共に、前記中空部に転動する転動子を収納してなることを特徴とする健康器具。
【請求項２】
請求項１に記載の健康器具の少なくとも2個を、所定長の連結紐で結合したことを特徴とする請求項1記載の健康器具。    
【請求項３】
前記天然素材はくるみの実、竹、竹炭、青森ヒバのいずれかであり、前記指圧角は、遠赤外線材料、磁性体材料、竹、竹炭、青森ヒバのいずれか、又は、それらの組み合わせたものであり、前記転動子はムクロジの実、鈴、発音電子素子のいずれかであることを特徴とする請求項1または請求項２に記載の健康器具。  
【考案の詳細な説明】
【技術分野】
【０００１】
本考案は、健康器具に関する。詳しくは、手のひら、足裏、お腹等の指圧及び呼吸器の活性化、更には、リズム感と敏捷性のトレーニング等に供する健康器具である。
【背景技術】
【０００２】
従来の手のひら指圧・健康器具として、粒状または粉状の遠赤外線含有材料を混合させた合成樹脂の成形材料により成形したクルミ状中空体に永久磁石を転動自在に収納し、手のひらで揉むだけで指圧効果と磁気作用及び遠赤外線作用の相乗効果により手のひらに集中している特効ツボを刺激し、知らずに体質が改善され、健康を保持することができるものが知られている（例えば特許文献１参照）。
しかし、このものにあっては粒状または粉上の遠赤外線含有材料を混合させた合成樹脂の成形材料を用いているので、遠赤外線の密度が低くその効果が薄いという欠点があった。
【０００３】
上記の欠点を改善すべく、遠赤外線及び磁力の作用を高めるために、二個の木製球体を弾性体で連結し、一方の木製球体には一部を突出させて１個８００ガウスの磁石を９個埋め込み、同様にして、他方の木製球体には９個の遠赤外線セラミックスボールを埋め込んだものがある（例えば、特許文献２参照）。
しかし、このものにあっては遠赤外線及び磁性の強度を所望の高密度の設定値で製作できるが、使い方が短純であって、楽しみながら且つ上達感を味わいながら使用するという観点からの細工が欠けているために、愛着を感じて長く使用し続けることができない、という欠点があった。  
【先行技術文献】
【特許文献】
【０００４】
【特許文献１】実開平０８−１２３３号公報
【特許文献２】登録実用第３１４９６４５号公報
【考案の概要】
【考案が解決しようとする課題】
【０００５】
本考案は、以上のような従来の欠点に鑑みてなされたもので、所要密度の遠赤外線作用、及び、所要密度の磁性作用を具備することを可能とし、手のひら、足裏、お腹等の指圧及び呼吸器の活性化、更には、筋肉トレーニング、リズム感と敏捷性のトレーニング等にも供することを可能にしたもので、多様な使い方とその上達感を味わうことができる構成としているので、楽しみながら使用し続けることができ、使い込めば使い込む程愛着を感じるようになる健康器具を提供することを目的としている。
加えて、製作にあったって残材となる、所謂、端材が有効活用可能な貴重な資源として再利用できると共に、この発明品の処分に当たっては、そのままの状態で無公害の自然ゴミとして自然に帰すことが可能である。
【課題を解決するための手段】
【０００６】
上記目的を達成するために、本考案は、天然樹木からなる天然素材を加工して内部を中空部７とする所定形状の外殻を形成すると共に、この外殻に前記中空部７と外部とを連通する笛孔５を形成した本体１０と、前記本体１０から指圧角２を突出させて形成すると共に、前記中空部７に転動する転動子４を収納して健康器具１を構成している。
また、この健康器具１の複数個を連結紐８で結合して健康器具１を構成している。
【考案の効果】
【０００７】
本考案によれば、以下に列挙する使い方とその使い方に伴う効果が得られる。
１、所望の指圧角を作用させて身体全体のツボ刺激に使用する。
イ、手のひらのツボ刺激、ロ、お腹のツボ刺激、ハ、足裏のツボ刺激、ニ、その他身体のあらゆる部位のツボ刺激を可能とし、そのツボ刺激に対応する効果を得る。
２、本体１０の笛孔５及び中空部７中の転動子４を作用させて音響器具として使用する。
イ、笛孔５に呼気を直接又は笛筒６を使って間接的に吹き付けて吹奏楽器として使用することによって、上手な楽器の使い方への挑戦をしながら呼吸器系のトレーニングを可能とするので、愛着を持ちながら使い続けることができ、かつ、呼吸器系の健康の増大という効果が得られる。
ロ、片手又は両手にもって腕を自在に振り、マスカラ楽器の代用楽器として使用することによって、腕のトレーニングと音感、敏捷性のトレーニング器具としての効果を奏する。
３、その他の使い方とその効用。
イ、複数個を連結紐で連結したものにあっては、上記１，２の使い方に加えて、更に、テコンドーやエキスバンダー的な使い方ができ、上半身全体のトレーニングも可能とし、対応する効果が得られる。
４、また、クルミの実を使用した場合には、実の中身は食材として使用される。また、その実を支えているパーテイション部材は更に細分化して研磨剤として使用することができる。
５、また、本体１０に薬木（青森ヒバ、目薬の木等）にあっては、その薬木の効用に従った効能が得られるので、製作残材までもが廃棄物にならずに有効に活用されるという大いなる効果を奏する。
【図面の簡単な説明】
【０００８】
【図１】本考案の実施例１の要部断面図。
【図２】同、実施例１の使用状態の図。            （ａ）手のひらマッサージ等としての使用状態の説明図。            （ｂ）お腹マサージとしての使用状態の説明図。            （ｃ）足裏マサージとしての使用状態の説明図。            （ｄ）音響器具としての使用状態の説明図。
【図３】本考案の実施例２の概要図。
【図４】本考案の実施例３の概要図。
【図５】本考案の実施例４の概要図。
【図６】本考案の実施例５の概要図。
【図７】本考案の実施例６の概要図。
【考案を実施するための形態】
【０００９】
以下に、本考案の実施の形態を実施例として図１乃至図７に基づいて説明する。
【実施例１】
【００１０】
図１、図２に基づいて実施例１を説明する。図において、１０は本体で、くるみの実を２分割して中身を食材（図示せず）として取り出した後、この食材となる中身を覆っていたパーテイション部材（図示せず）を専用に作ったドリルで削り加工して作った中空状のものある。２は指圧角で、遠赤外線素材を加工した遠赤外線指圧角（２ａ）、セラミックス等の磁性体を加工した磁性体指圧角（２ｂ）、木材を加工した木製指圧角（２ｃ）等で構成されるもので、使用者夫々の症状と願望に沿って適した使い分けを、又は組み合わせを行い、本体１０から外部に向かって放射状に接着等の既知の方法で取り付けられている。
また、くるみの実に代えて薬木等の木材を中空・球状にしたものを代用することができる。
【００１１】
４は転動子で、本体１０の中空部７に置かれたもので、本体1が振られると中空部７で転動して音を発生させるものである。この転動子４としては、ムクロジの実、トルマリンなどの他、数珠玉、鈴、ピイー音やメロディーを奏でる電子部材などを使うことが出来る。
【００１２】
５は笛孔であり、この笛孔５に竹材を加工して作った笛筒６又は口を直接あてがって中空部７に呼気を送ることによって共鳴体を構成する中空部７と協働して笛音を奏するものである。
【００１３】
そして、２分割された本体には使用者の症状に適した処方と願望に応じて、遠赤外線指圧角２ａ、磁性体指圧角２ｂ、木材製指圧角等が立設されると共に、その中空部７に転動子４を入れた後、互いの分割面同士が接着剤で接着されて健康器具１が完成する。
また、共鳴体４を交換可能なように、図示しないが、印籠方式等の既知の方法で分割面で離合可能な構造としても良い。この場合には、くるみの実に代えて薬木等の木材を中空・球状にしたものを本体１０として使用することが好ましい。
【００１４】
図２（ａ）〜（ｄ）にその代表的な使い方の幾つかを示し、処方箋となる健康器具１の使い方とその効用を説明する。
【００１５】
図２の（ａ）は左右の手のひら中で本発明の健康器具１を持ち両手を閉じたり開いたりすることで血行を良くし、また、両手を振ることで中に入っている転動子４(ムクロジの実等)が動き、音がするので、音の強弱をつけるなど単調でない手振りの運動ができ（楽器のマスカラを使用するような動作）、また。時々左手と右手の健康器具１を持ちかえることによって（お手玉の多様な使い方を参考にして）、また、この持ち変える早さを変えるなどして楽しむことが可能となる。
これらは単純な操作ではあるが、楽しみながら、かつ、上達への挑戦をしながら、この動作を繰り返すことによって血行の促進と、腕から指にかけての運動と、音感と俊敏性のトレーニングともなり、ひいては脳の活性化を図ることができるという効果が得られる。
【００１６】
図２の（ｂ）は、お腹の上に本発明である健康具を手のひらで押さえながら上下左右に動かすことで、お腹のマッサージができる。
このようにして使用すると肥満の解消、血行の促進、ひいては便秘の解消を可能とする等の効果が得られる。
【００１７】
図２の（ｃ）は、本発明である健康具を足の裏で押さえながら上下左右に動かして使用している例であり、このようにして使用すると足裏のマッサージの効果、即ち、つぼの塊といわれている足裏のつぼ刺激による各種の効果が得られる。
【００１８】
図２の（ｄ）は、斜めに切った竹筒６を笛孔５にあてがって吹奏楽器として使用している例であり、このようにして使用すると呼吸器及び腹筋等のトレーニング効果が得られる。また、竹筒６を使わずに直接口びるを笛孔５にあてがって使用することでも良い。
【実施例２】
【００１９】
以下図３乃至図７に基づいて実施例２を説明する。なお、説明に当たって、前記実施例１と同一構成、同一機能部分には同一符号を付して重複する説明を省略する。
【実施例３】
【００２０】
図３に基づいて実施例３を説明する。前記実施例１と異なる点は、２個の健康具１を連結紐７で連結したものである。この連結紐７は丈夫な撚り紐８ａ又は伸縮性のあるゴム紐８ｂ等が使い勝手上好ましい。
【００２１】
このようにした健康具は、実施例１と同様の使い方を可能にし、加えて、個々の使い方の幅とその幅の広さに対応して難易度もまた変化する。
また、新たに加わる使い方としては、連結紐８を介して両端にある本体１０を左右の手で持って互いに離反する方向に引っ張り合って、エキスパンドとして使用することができるので、胸の筋肉のトレーニングをも可能にする。また、テコンドー的な使い方も可能である。
【実施例４】
【００２２】
図４に基づいて実施例４を説明する。実施例１と異なる点は、本体１０を竹筒（又は竹炭筒）１０ｂで形成した点である。尚、竹筒(又は竹炭筒)１０ｂに代えて木材の丸棒の中をくりぬいた木製筒１０ｃであってもよい。
このように構成したものであっても、実施例１と同様の使い方を可能とし、それに基づく同等の作用・効果が得られる。
【実施例５】
【００２３】
図５に基づいて実施例５を説明する。実施例３と異なる点は、本体１０をくるみの実に代えて竹筒(又は竹炭筒)１０ｂで形成したものを、連結紐８で連結した点である。尚、竹筒(又は竹炭筒)に代えて木材の丸棒の中をくりぬいた木製筒１０ｃであってもよい。
このように構成したものであっても、実施例３と同様の使い方を可能とし、それに基づく同等の作用・効果が得られる。
【実施例６】
【００２４】
図６に基づいて実施例６を説明する。前記実施例１と異なる点は、本体１０をくるみの実１０ａに代えて薬木を使用した正六面体形状にした点で、このように形成した健康器具１にあってもて実施例１と同様な使い方ができると共に、同様の作用効果を得ることができる。また、正六面体に代えて所望の多面体にすることは自在である。
【００２５】
加えて、この実施例６にあっては、薬木の効果が加わると共に、正六面体の各コーナーの８箇所が指圧角の役割を備えるので全体として小型化／省部品化もできる。また、廃材等は本来の薬木として有効に活用することができる。
【００２６】
本体１０に使用される薬木としては、青森ヒバの木の他に、香木、目薬の木等を使用しても良い。
また、夫々の実施例の指圧角２として、薬木を使用することも可能である。この場合には指圧角の先端をシャープ等より自由に加工することが容易であり、このことによって、指圧効果を更に高めることができる。
【実施例７】
【００２７】
図７に基づいて実施例７を説明する。実施例３と異なる点は、本体１０をくるみの実１０ａに代えて、薬木を使用した正六面体形状にして（実施例６）、これらを連結紐８で連結した点である。このように構成したものであっても、実施例３と同様の使い方を可能とし、それに基づく同等の作用・効果が得られる。
【産業上の利用可能性】
【００２８】
本考案は、健康器具を製造、販売する産業で利用される。
【符号の説明】
【００２９】
１、健康器具  ２、指圧角  ２ａ、遠赤外線指圧角  ２ｂ、磁性体指圧角  
２ｃ、木製指圧角  ４、転動子  ５、笛孔  ６、笛筒  ７、（本体の）中空部
８、連結紐  ８ａ、撚り紐  ８ｂ、ゴム紐８ｂ、１０、（健康器具の）本体  
１０ａ、（くるみの）果核  １０ｂ、竹筒又は竹炭筒  １０ｃ、木筒  
１０ｄ、木製６面体  １０ｅ、木製球体  
１５、手のひら  １６、お腹  １７、足  １８、（人の）口。
【図１】
0003171546.tif 000003
【図２】
0003171546.tif 000004
【図３】
0003171546.tif 000005
【図４】
0003171546.tif 000006
【図５】
0003171546.tif 000007
【図６】
0003171546.tif 000008
【図７】
0003171546.tif 000009
【手続補正書】
【提出日】平成23年9月5日(2011.9.5)
【手続補正１】
【補正対象書類名】明細書
【補正対象項目名】全文
【補正方法】変更
【補正の内容】
【考案の詳細な説明】
【技術分野】
【０００１】
本考案は、健康器具に関する。詳しくは、手のひら、足裏、お腹等の指圧及び呼吸器の活性化、更には、リズム感と敏捷性のトレーニング等に供する健康器具である。
【背景技術】
【０００２】
従来の手のひら指圧・健康器具として、粒状または粉状の遠赤外線含有材料を混合させた合成樹脂の成形材料により成形したクルミ状中空体に永久磁石を転動自在に収納し、手のひらで揉むだけで指圧効果と磁気作用及び遠赤外線作用の相乗効果により手のひらに集中している特効ツボを刺激し、知らずに体質が改善され、健康を保持することができるものが知られている（例えば特許文献１参照）。
しかし、このものにあっては粒状または粉上の遠赤外線含有材料を混合させた合成樹脂の成形材料を用いているので、遠赤外線の密度が低くその効果が薄いという欠点があった。
【０００３】
上記の欠点を改善すべく、遠赤外線及び磁力の作用を高めるために、二個の木製球体を弾性体で連結し、一方の木製球体には一部を突出させて１個８００ガウスの磁石を９個埋め込み、同様にして、他方の木製球体には９個の遠赤外線セラミックスボールを埋め込んだものがある（例えば、特許文献２参照）。
しかし、このものにあっては遠赤外線及び磁性の強度を所望の高密度の設定値で製作できるが、使い方が短純であって、楽しみながら且つ上達感を味わいながら使用するという観点からの細工が欠けているために、愛着を感じて長く使用し続けることができない、という欠点があった。  
【先行技術文献】
【特許文献】
【０００４】
【特許文献１】実開平０８−１２３３号公報
【特許文献２】登録実用第３１４９６４５号公報
【考案の概要】
【考案が解決しようとする課題】
【０００５】
本考案は、以上のような従来の欠点に鑑みてなされたもので、所要密度の遠赤外線作用、及び、所要密度の磁性作用を具備することを可能とし、手のひら、足裏、お腹等の指圧及び呼吸器の活性化、更には、筋肉トレーニング、リズム感と敏捷性のトレーニング等にも供することを可能にしたもので、多様な使い方とその上達感を味わうことができる構成としているので、楽しみながら使用し続けることができ、使い込めば使い込む程愛着を感じるようになる健康器具を提供することを目的としている。
加えて、製作にあったって残材となる、所謂、端材が有効活用可能な貴重な資源として再利用できると共に、この発明品の処分に当たっては、そのままの状態で無公害の自然ゴミとして自然に帰すことが可能である。
【課題を解決するための手段】
【０００６】
上記目的を達成するために、本考案は、天然樹木からなる天然素材を加工して内部を中空部７とする所定形状の外殻を形成すると共に、この外殻に前記中空部７と外部とを連通する笛孔５を形成した本体１０と、前記本体１０から指圧角２を突出させて形成すると共に、前記中空部７に転動する転動子４を収納して健康器具１を構成している。
また、この健康器具１の複数個を連結紐８で結合して健康器具１を構成している。
【考案の効果】
【０００７】
本考案によれば、以下に列挙する使い方とその使い方に伴う効果が得られる。
１、所望の指圧角を作用させて身体全体のツボ刺激に使用する。
イ、手のひらのツボ刺激、ロ、お腹のツボ刺激、ハ、足裏のツボ刺激、ニ、その他身体のあらゆる部位のツボ刺激を可能とし、そのツボ刺激に対応する効果を得る。
２、本体１０の笛孔５及び中空部７中の転動子４を作用させて音響器具として使用する。
イ、笛孔５に呼気を直接又は笛筒６を使って間接的に吹き付けて吹奏楽器として使用することによって、上手な楽器の使い方への挑戦をしながら呼吸器系のトレーニングを可能とするので、愛着を持ちながら使い続けることができ、かつ、呼吸器系の健康の増大という効果が得られる。
ロ、片手又は両手にもって腕を自在に振り、マスカラ楽器の代用楽器として使用することによって、腕のトレーニングと音感、敏捷性のトレーニング器具としての効果を奏する。
３、その他の使い方とその効用。
イ、複数個を連結紐で連結したものにあっては、上記１，２の使い方に加えて、更に、テコンドーやエキスバンダー的な使い方ができ、上半身全体のトレーニングも可能とし、対応する効果が得られる。
４、また、クルミの実を使用した場合には、実の中身は食材として使用される。また、その実を支えているパーテイション部材は更に細分化して研磨剤として使用することができる。
５、また、本体１０に薬木（青森ヒバ、目薬の木等）にあっては、その薬木の効用に従った効能が得られるので、製作残材までもが廃棄物にならずに有効に活用されるという大いなる効果を奏する。
【図面の簡単な説明】
【０００８】
【図１】本考案の実施例１の要部断面図。
【図２】同、実施例１の使用状態の図。                                             （ａ）手のひらマッサージ等としての使用状態の説明図。                     （ｂ）お腹マサージとしての使用状態の説明図。                                （ｃ）足裏マサージとしての使用状態の説明図。                               （ｄ）音響器具としての使用状態の説明図。
【図３】本考案の実施例２の概要図。
【図４】本考案の実施例３の概要図。
【図５】本考案の実施例４の概要図。
【図６】本考案の実施例５の概要図。
【図７】本考案の実施例６の概要図。
【考案を実施するための形態】
【０００９】
以下に、本考案の実施の形態を実施例として図１乃至図７に基づいて説明する。
【実施例１】
【００１０】
図１、図２に基づいて実施例１を説明する。図において、１０は本体で、くるみの実を２分割して中身を食材（図示せず）として取り出した後、この食材となる中身を覆っていたパーテイション部材（図示せず）を専用に作ったドリルで削り加工して作った中空状のものある。２は指圧角で、遠赤外線素材を加工した遠赤外線指圧角（２ａ）、セラミックス等の磁性体を加工した磁性体指圧角（２ｂ）、木材を加工した木製指圧角（２ｃ）等で構成されるもので、使用者夫々の症状と願望に沿って適した使い分けを、又は組み合わせを行い、本体１０から外部に向かって放射状に接着等の既知の方法で取り付けられている。
また、くるみの実に代えて薬木等の木材を中空・球状にしたものを代用することができる。
【００１１】
４は転動子で、本体１０の中空部７に置かれたもので、本体1が振られると中空部７で転動して音を発生させるものである。この転動子４としては、ムクロジの実、トルマリンなどの他、数珠玉、鈴、ピイー音やメロディーを奏でる電子部材などを使うことが出来る。
【００１２】
５は笛孔であり、この笛孔５に竹材を加工して作った笛筒６又は口を直接あてがって中空部７に呼気を送ることによって共鳴体を構成する中空部７と協働して笛音を奏するものである。
【００１３】
そして、２分割された本体には使用者の症状に適した処方と願望に応じて、遠赤外線指圧角２ａ、磁性体指圧角２ｂ、木材製指圧角等が立設されると共に、その中空部７に転動子４を入れた後、互いの分割面同士が接着剤で接着されて健康器具１が完成する。
また、共鳴体４を交換可能なように、図示しないが、印籠方式等の既知の方法で分割面で離合可能な構造としても良い。この場合には、くるみの実に代えて薬木等の木材を中空・球状にしたものを本体１０として使用することが好ましい。
【００１４】
図２（ａ）〜（ｄ）にその代表的な使い方の幾つかを示し、処方箋となる健康器具１の使い方とその効用を説明する。
【００１５】
図２の（ａ）は左右の手のひら中で本発明の健康器具１を持ち両手を閉じたり開いたりすることで血行を良くし、また、両手を振ることで中に入っている転動子４(ムクロジの実等)が動き、音がするので、音の強弱をつけるなど単調でない手振りの運動ができ（楽器のマスカラを使用するような動作）、また。時々左手と右手の健康器具１を持ちかえることによって（お手玉の多様な使い方を参考にして）、また、この持ち変える早さを変えるなどして楽しむことが可能となる。
これらは単純な操作ではあるが、楽しみながら、かつ、上達への挑戦をしながら、この動作を繰り返すことによって血行の促進と、腕から指にかけての運動と、音感と俊敏性のトレーニングともなり、ひいては脳の活性化を図ることができるという効果が得られる。
【００１６】
図２の（ｂ）は、お腹の上に本発明である健康具を手のひらで押さえながら上下左右に動かすことで、お腹のマッサージができる。
このようにして使用すると肥満の解消、血行の促進、ひいては便秘の解消を可能とする等の効果が得られる。
【００１７】
図２の（ｃ）は、本発明である健康具を足の裏で押さえながら上下左右に動かして使用している例であり、このようにして使用すると足裏のマッサージの効果、即ち、つぼの塊といわれている足裏のつぼ刺激による各種の効果が得られる。
【００１８】
図２の（ｄ）は、斜めに切った竹筒６を笛孔５にあてがって吹奏楽器として使用している例であり、このようにして使用すると呼吸器及び腹筋等のトレーニング効果が得られる。また、竹筒６を使わずに直接口びるを笛孔５にあてがって使用することでも良い。
【００１９】
以下図３乃至図７に基づいて他の実施例を説明する。なお、説明に当たって、前記実施例１と同一構成、同一機能部分には同一符号を付して重複する説明を省略する。
【実施例２】
【００２０】
図３に基づいて実施例２を説明する。前記実施例１と異なる点は、２個の健康具１を連結紐７で連結したものである。この連結紐７は丈夫な撚り紐８ａ又は伸縮性のあるゴム紐８ｂ等が使い勝手上好ましい。
【００２１】
このようにした健康具は、実施例１と同様の使い方を可能にし、加えて、個々の使い方の幅とその幅の広さに対応して難易度もまた変化する。
また、新たに加わる使い方としては、連結紐８を介して両端にある本体１０を左右の手で持って互いに離反する方向に引っ張り合って、エキスパンドとして使用することができるので、胸の筋肉のトレーニングをも可能にする。また、テコンドー的な使い方も可能である。
【実施例３】
【００２２】
図４に基づいて実施例３を説明する。実施例１と異なる点は、本体１０を竹筒（又は竹炭筒）１０ｂで形成した点である。尚、竹筒(又は竹炭筒)１０ｂに代えて木材の丸棒の中をくりぬいた木製筒１０ｃであってもよい。
このように構成したものであっても、実施例１と同様の使い方を可能とし、それに基づく同等の作用・効果が得られる。
【実施例４】
【００２３】
図５に基づいて実施例４を説明する。実施例２と異なる点は、本体１０をくるみの実に代えて竹筒(又は竹炭筒)１０ｂで形成したものを、連結紐８で連結した点である。尚、竹筒(又は竹炭筒)に代えて木材の丸棒の中をくりぬいた木製筒１０ｃであってもよい。
このように構成したものであっても、実施例２と同様の使い方を可能とし、それに基づく同等の作用・効果が得られる。
【実施例５】
【００２４】
図６に基づいて実施例５を説明する。前記実施例１と異なる点は、本体１０をくるみの実１０ａに代えて薬木を使用した正六面体形状にした点で、このように形成した健康器具１にあってもて実施例１と同様な使い方ができると共に、同様の作用効果を得ることができる。また、正六面体に代えて所望の多面体にすることは自在である。
【００２５】
加えて、この実施例５にあっては、薬木の効果が加わると共に、正六面体の各コーナーの８箇所が指圧角の役割を備えるので全体として小型化／省部品化もできる。また、廃材等は本来の薬木として有効に活用することができる。
【００２６】
本体１０に使用される薬木としては、青森ヒバの木の他に、香木、目薬の木等を使用しても良い。
また、夫々の実施例の指圧角２として、薬木を使用することも可能である。この場合には指圧角の先端をシャープ等より自由に加工することが容易であり、このことによって、指圧効果を更に高めることができる。
【実施例６】
【００２７】
図７に基づいて実施例６を説明する。実施例２と異なる点は、本体１０をくるみの実１０ａに代えて、薬木を使用した正六面体形状にして（実施例５）、これらを連結紐８で連結した点である。このように構成したものであっても、実施例２と同様の使い方を可能とし、それに基づく同等の作用・効果が得られる。
【産業上の利用可能性】
【００２８】
本考案は、健康器具を製造、販売する産業で利用される。
【符号の説明】
【００２９】
１、健康器具  ２、指圧角  ２ａ、遠赤外線指圧角  ２ｂ、磁性体指圧角  
２ｃ、木製指圧角  ４、転動子  ５、笛孔  ６、笛筒  ７、（本体の）中空部
８、連結紐  ８ａ、撚り紐  ８ｂ、ゴム紐８ｂ、１０、（健康器具の）本体  
１０ａ、（くるみの）果核  １０ｂ、竹筒又は竹炭筒  １０ｃ、木筒  
１０ｄ、木製６面体  １０ｅ、木製球体  
１５、手のひら  １６、お腹  １７、足  １８、（人の）口。